【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
類似条件下で育成したときの同じ変種のコントロールタバコ植物と比較して全く存在しないか又は減少した吸枝を含む改変タバコ植物であって、前記改変タバコ植物が、配列番号: 233、161−185、187、189、191、193、195、197、199、201、203、206、208、210、212、214、216、218、220、222、224、229、231、235、237、239、241、243、245、247、249、251、253、255、2、4、6、8、10、12、14、16、18、20、22、24、26、28、30、32、34、36、38、40、42、44、46、48、50、52、54、58、60、62、68、70、72、74、76、78、80及び82から成る群から選択されるポリペプチドをコードするトランスジーンを含む、前記改変タバコ植物。
【請求項２】
前記トランスジーンが、腋生分裂組織特異的プロモーターに作動できるように連結される、請求項1に記載の改変タバコ植物。
【請求項３】
前記トランスジーンが、配列番号:113−118、148−160、204及び前記のフラグメントから成る群から選択されるポリヌクレオチドと少なくとも90％配列同一性を有する核酸配列を含むプロモーターに作動できるように連結される、請求項1に記載の改変タバコ植物。
【請求項４】
前記減少した吸枝が、少なくとも10％、少なくとも15％、少なくとも20％、少なくとも25％、少なくとも30％、少なくとも35％、少なくとも40％、少なくとも45％、少なくとも50％、少なくとも60％、少なくとも70％、少なくとも80％、少なくとも90％、又は少なくとも95％少ない吸枝を含む、請求項1に記載の改変タバコ植物。
【請求項５】
前記減少した吸枝が、減少した質量、減少した長さ、又は両方を含む、請求項1に記載の改変タバコ植物。
【請求項６】
前記改変タバコ植物が、類似条件下で育成したときのコントロールタバコ植物と比較して、吸枝制御のための管理の軽減を要求する、請求項1に記載の改変タバコ植物。
【請求項７】
前記管理の軽減が、吸枝制御のための手作業による除去の頻度の軽減、吸枝制御のための化学薬剤適用の頻度の軽減、吸枝制御のための化学薬剤適用の量の軽減、又は前記の任意の組合せを含む、請求項6に記載の改変タバコ植物。
【請求項８】
前記吸枝制御のための手作業による除去の頻度の軽減が、類似条件下で育成したときのコントロール植物における頻度の10％未満、20％未満、30％未満、40％未満、50％未満、60％未満、70％未満、75％未満、80％未満、85％未満、90％未満、又は95％未満である、請求項7に記載の改変タバコ植物。
【請求項９】
改変タバコ植物であって、類似条件下で育成したときの同じ変種のコントロールタバコ植物と比較して、存在しないか又は減少した吸枝を含む、前記改変タバコ植物。
【請求項１０】
前記吸枝が、上部切取りにより誘発される吸枝である、請求項9に記載の改変タバコ植物。
【請求項１１】
前記改変タバコ植物が、1つ以上の変異を含む、請求項9に記載の改変タバコ植物。
【請求項１２】
前記改変タバコ植物が、1つ以上のトランスジーンを含む、請求項9に記載の改変タバコ植物。
【請求項１３】
前記1つ以上のトランスジーンが、腋生分裂組織特異的プロモーターを含む、請求項12に記載の改変タバコ植物。
【請求項１４】
前記腋生分裂組織特異的プロモーターが、腋生分裂組織の中央帯、周辺帯、髄状帯又は前記の組合せにおいて機能するか又は優先的に機能する、請求項13に記載の改変タバコ植物。
【請求項１５】
前記1つ以上の変異が、配列番号:233、2、4、6、8、10、12、14、16、18、20、22、24、26、28、30、32、34、36、38、40、42、44、46、48、50、52、54、58、60、62、68、70、72、74、76、78、80、82、161−185、187、189、191、193、195、197、199、201、203、206、208、210、212、214、216、218、220、222、224、229、231、235、237、239、241、243、245、247、249、251、253及び255から成る群から選択されるポリペプチドと少なくとも70％配列同一性を有するポリペプチドをコードする遺伝子に存在する、請求項9に記載の改変タバコ植物。
【請求項１６】
前記改変タバコ植物が、類似条件下で育成したときの前記コントロールタバコ植物と比較して、同様又はより多くの葉の収量を有する、請求項9に記載の改変タバコ植物。
【請求項１７】
前記改変タバコ植物が、類似条件下で育成したときの前記コントロールタバコ植物と比較して同様な植物高を有する、請求項9に記載の改変タバコ植物。
【請求項１８】
前記上部切取り誘発吸枝の減少が、類似条件下で育成したときのコントロールタバコ植物の上部切取り誘発吸枝と比較したとき、減少した吸枝総量、より小さな吸枝、又は両方を含む、請求項9に記載の改変タバコ植物。
【請求項１９】
前記減少した吸枝総量が、少なくとも10％、少なくとも15％、少なくとも20％、少なくとも25％、少なくとも30％、少なくとも35％、少なくとも40％、少なくとも45％、少なくとも50％、少なくとも60％、少なくとも70％、少なくとも80％、少なくとも90％、又は少なくとも95％少ない吸枝を含む、請求項18に記載の改変タバコ植物。
【請求項２０】
請求項9に記載の改変タバコ植物のタバコ葉。
【請求項２１】
請求項9に記載の改変タバコ植物に由来する乾燥タバコ素材を含むタバコ製品。
【請求項２２】
前記タバコ製品が、紙巻きタバコ、クレテック、ビディシガレット、葉巻、シガリロ、ノンベンチレーション紙巻きタバコ、ベントリセスフィルター紙巻きタバコ、パイプタバコ、嗅ぎタバコ、噛みタバコ、湿潤無煙タバコ、ファインカット噛みタバコ、ロングカット噛みタバコ、ポーチ入り噛みタバコ製品、ガム、錠剤、ロゼンジ及び溶解ストリップから成る群から選択される、請求項21に記載のタバコ製品。
【請求項２３】
組換えポリヌクレオチドを含む植物又は種子であって、
前記組換えポリヌクレオチドが、下記a、
a．L1層、L2層、L3領域、髄状帯、中央帯、周辺帯又は前記の組合せにおいて機能するプロモーター
を含み、前記プロモーターが、下記b、
b．配列番号:233、2、4、6、8、10、12、14、16、18、20、22、24、26、28、30、32、34、36、38、40、42、44、46、48、50、52、54、58、60、62、68、70、72、74、76、78、80、82、161−185、189、191、193、195、197、199、201、203、206、208、210、212、214、216、218、220、222、224、229、231、235、237、239、241、243、245、247、249、251、253、255から成る群から選択されるポリペプチドと少なくとも70％配列同一性を有するポリペプチドをコードする核酸配列を含む構造性核酸分子
に作動できるように連結されている、植物又は種子。
【請求項２４】
前記プロモーターが、配列番号:113−118、148−160、204及び前記のフラグメントから成る群から選択されるポリヌクレオチドと少なくとも90％配列同一性を有する核酸配列を含む、請求項23に記載の植物又は種子。
【手続補正２】
【補正対象書類名】明細書
【補正対象項目名】００１０
【補正方法】変更
【補正の内容】
【００１０】
ある特徴では、本開示は組換えポリヌクレオチドを含む植物又は種子を提供し、この場合、当該組換えポリヌクレオチドは、L1層、L2層、L3領域、髄状帯、中央帯、周辺帯、又は前記の組み合わせにおいて機能するプロモーターを含み、当該プロモーターはある核酸配列を含む構造性核酸分子に作動できるように連結され、当該核酸配列はオーキシン生合成タンパク質又はオーキシン輸送タンパク質をコードする。
ある特徴では、本開示は組換えDNA構築物を提供する。前記構築物は、L1層、L2層、L3領域、髄状帯、中央帯、周辺帯、又は前記の組み合わせにおいて機能するプロモーター、及び異種でありかつ作動できるように連結された核酸配列を含み、当該核酸配列はオーキシン生合成タンパク質又はオーキシン輸送タンパク質をコードする。
ある特徴では、本開示は組換えDNA構築物を提供する。前記構築物は、あるポリヌクレオチドに作動できるように連結された異種の腋生分裂組織特異的プロモーターを含み、当該ポリヌクレオチドはオーキシン生合成タンパク質又はオーキシン輸送タンパク質をコードする。
ある特徴では、本開示は異種プロモーターを含むタバコ植物又はその部分を提供し、前記異種プロモーターは、配列番号:113−118、148−160、204、及び前記のフラグメントから成る群から選択されるポリヌクレオチドと少なくとも90％配列同一性を有し、オーキシン生合成タンパク質又はオーキシン輸送タンパク質をコードするポリヌクレオチドに作動できるように連結される。
ある特徴では、本開示は上部切取り誘発吸枝を植物で制御する方法を提供する。前記方法は組換えDNA構築物で前記植物を形質転換する工程を含み、この場合、当該組換えDNA構築物は、オーキシン生合成タンパク質又はオーキシン輸送タンパク質をコードするポリヌクレオチドに作動できるように連結されるプロモーターを含む。
[本発明1001]
類似条件下で育成したときの同じ変種のコントロールタバコ植物と比較して全く存在しないか又は減少した吸枝を含む改変タバコ植物であって、前記改変タバコ植物が、配列番号: 161−185、187、189、191、193、195、197、199、201、203、206、208、210、212、214、216、218、220、222、224、229、231、233、235、237、239、241、243、245、247、249、251、253、255、2、4、6、8、10、12、14、16、18、20、22、24、26、28、30、32、34、36、38、40、42、44、46、48、50、52、54、58、60、62、68、70、72、74、76、78、80及び82から成る群から選択されるポリペプチドをコードするトランスジーンを含む、前記改変タバコ植物。
[本発明1002]
前記トランスジーンが、腋生分裂組織特異的プロモーターに作動できるように連結される、本発明1001の改変タバコ植物。
[本発明1003]
前記トランスジーンが、配列番号:113−118、148−160、204及び前記のフラグメントから成る群から選択されるポリヌクレオチドと少なくとも90％配列同一性を有する核酸配列を含むプロモーターに作動できるように連結される、本発明1001の改変タバコ植物。
[本発明1004]
前記減少した吸枝が、少なくとも10％、少なくとも15％、少なくとも20％、少なくとも25％、少なくとも30％、少なくとも35％、少なくとも40％、少なくとも45％、少なくとも50％、少なくとも60％、少なくとも70％、少なくとも80％、少なくとも90％、又は少なくとも95％少ない吸枝を含む、本発明1001の改変タバコ植物。
[本発明1005]
前記減少した吸枝が、減少した質量、減少した長さ、又は両方を含む、本発明1001の改変タバコ植物。
[本発明1006]
前記改変タバコ植物が、類似条件下で育成したときのコントロールタバコ植物と比較して、吸枝制御のための軽減した管理を要求する、本発明1001の改変タバコ植物。
[本発明1007]
前記軽減した管理が、吸枝制御のための軽減された手作業による除去の頻度、吸枝制御のための軽減された化学薬剤適用の頻度、吸枝制御のための軽減された化学薬剤適用の量、又は前記の任意の組合せを含む、本発明1006の改変タバコ植物。
[本発明1008]
前記吸枝制御のための軽減された手作業による除去の頻度が、類似条件下で育成したときのコントロール植物における頻度の少なくとも10％未満、少なくとも20％未満、少なくとも30％未満、少なくとも40％未満、少なくとも50％未満、少なくとも60％未満、少なくとも70％未満、少なくとも75％未満、少なくとも80％未満、少なくとも85％未満、少なくとも90％未満、又は少なくとも95％未満である、本発明1007の改変タバコ植物。
[本発明1009]
改変タバコ植物であって、類似条件下で育成したときの同じ変種のコントロールタバコ植物と比較して、存在しないか又は減少した吸枝を含む、前記改変タバコ植物。
[本発明1010]
前記吸枝が、上部切取りにより誘発される吸枝である、本発明1009の改変タバコ植物。
[本発明1011]
前記改変タバコ植物が、1つ以上の変異を含む、本発明1009の改変タバコ植物。
[本発明1012]
前記改変タバコ植物が、1つ以上のトランスジーンを含む、本発明1009の改変タバコ植物。
[本発明1013]
前記1つ以上のトランスジーンが、腋生分裂組織特異的プロモーターを含む、本発明1012の改変タバコ植物。
[本発明1014]
前記腋生分裂組織特異的プロモーターが、腋生分裂組織の中央帯、周辺帯、髄状帯又は前記の組合せにおいて機能するか又は優先的に機能する、本発明1013の改変タバコ植物。
[本発明1015]
前記1つ以上の変異が、配列番号:2、4、6、8、10、12、14、16、18、20、22、24、26、28、30、32、34、36、38、40、42、44、46、48、50、52、54、58、60、62、68、70、72、74、76、78、80、82、161−185、187、189、191、193、195、197、199、201、203、206、208、210、212、214、216、218、220、222、224、229、231、233、235、237、239、241、243、245、247、249、251、253及び255から成る群から選択されるポリペプチドと少なくとも70％配列同一性を有するポリペプチドをコードする遺伝子に存在する、本発明1009の改変タバコ植物。
[本発明1016]
前記改変タバコ植物が、類似条件下で育成したときの前記コントロールタバコ植物と比較して、同様又はより多くの葉の収量を有する、本発明1009の改変タバコ植物。
[本発明1017]
前記改変タバコ植物が、類似条件下で育成したときの前記コントロールタバコ植物と比較して同様な植物高を有する、本発明1009の改変タバコ植物。
[本発明1018]
前記上部切取り誘発吸枝の減少が、類似条件下で育成したときのコントロールタバコ植物の上部切取り誘発吸枝と比較したとき、減少した吸枝総量、より小さな吸枝、又は両方を含む、本発明1009の改変タバコ植物。
[本発明1019]
前記減少した吸枝総量が、少なくとも10％、少なくとも15％、少なくとも20％、少なくとも25％、少なくとも30％、少なくとも35％、少なくとも40％、少なくとも45％、少なくとも50％、少なくとも60％、少なくとも70％、少なくとも80％、少なくとも90％、又は少なくとも95％少ない吸枝を含む、本発明1018の改変タバコ植物。
[本発明1020]
本発明1009の改変タバコ植物のタバコ葉。
[本発明1021]
本発明1009の改変タバコ植物に由来する乾燥タバコ素材を含むタバコ製品。
[本発明1022]
前記タバコ製品が、紙巻きタバコ、クレテック、ビディシガレット、葉巻、シガリロ、ノンベンチレーション紙巻きタバコ、ベントリセスフィルター紙巻きタバコ、パイプタバコ、嗅ぎタバコ、噛みタバコ、湿潤無煙タバコ、ファインカット噛みタバコ、ロングカット噛みタバコ、ポーチ入り噛みタバコ製品、ガム、錠剤、ロゼンジ及び溶解ストリップから成る群から選択される、本発明1021のタバコ製品。
[本発明1023]
組換えポリヌクレオチドを含む植物又は種子であって、
前記組換えポリヌクレオチドが、下記a、
a．L1層、L2層、L3領域、髄状帯、中央帯、周辺帯又は前記の組合せにおいて機能するプロモーターであって、下記b、
b．配列番号:2、4、6、8、10、12、14、16、18、20、22、24、26、28、30、32、34、36、38、40、42、44、46、48、50、52、54、58、60、62、68、70、72、74、76、78、80、82、161−185、189、191、193、195、197、199、201、203、206、208、210、212、214、216、218、220、222、224、229、231、233、235、237、239、241、243、245、247、249、251、253、255から成る群から選択されるポリペプチドと少なくとも70％配列同一性を有するポリペプチドをコードする核酸配列を含む構造性核酸分子、
に作動できるように連結されたプロモーターを含むことを特徴とする植物又は種子。
[本発明1024]
前記プロモーターが、配列番号:113−118、148−160、204及び前記のフラグメントから成る群から選択されるポリヌクレオチドと少なくとも90％配列同一性を有する核酸配列を含む、本発明1023の植物又は種子。